(57)【要約】【課題】交互撚り（ＳＺ撚り）された線心撚体を用いる場合であっても線心撚体の撚り合わせピッチ長を確実に維持可能な電線を提供すること。【解決手段】電線１は、複数の絶縁線心２０を含む線心撚体１０と、線心撚体の外周に巻き付けられた保持糸４０と、を備える。線心撚体１０は、Ｓ撚り部Ｔｓ及びＺ撚り部Ｔｚが交互に繰り返されるようにＳＺ撚りされる。保持糸４０は、線心撚体１０の外周にＳ撚り方向に周回するように巻き付けられたＳ巻き糸４１と、線心撚体１０の外周にＺ撚り方向に周回するように巻き付けられたＺ巻き糸４２と、を含む。【選択図】図２
2018129192.tif 000002
【特許請求の範囲】
【請求項１】
撚り合わされた複数の絶縁線心を含む線心撚体と、前記線心撚体の外周に巻き付けられた保持糸と、を備えた電線であって、
前記線心撚体は、
Ｓ撚り部及びＺ撚り部が交互に繰り返されるようにＳＺ撚りされ、
前記保持糸は、
前記線心撚体の外周にＳ撚り方向に周回するように巻き付けられたＳ巻き糸と、前記線心撚体の外周にＺ撚り方向に周回するように巻き付けられたＺ巻き糸と、を含む、
電線。
【請求項２】
請求項１に記載の電線において、
前記Ｓ撚り部の撚り合わせピッチ長と、前記Ｚ撚り部の撚り合わせピッチ長と、が同一である、
電線。
【請求項３】
請求項２に記載の電線において、
前記Ｓ巻き糸の巻き付けピッチ長と、前記Ｚ巻き糸の巻き付けピッチ長と、が同一である、
電線。
【発明の詳細な説明】
【技術分野】
【０００１】
本発明は、撚り合わされた複数の絶縁線心を含む線心撚体と、線心撚体の外周面に巻き付けられた保持糸と、を備えた電線、に関する。
【背景技術】
【０００２】
従来から、複数の絶縁線心を保持糸によって束ねた電線が提案されている。例えば、従来の電線の一つ（以下「従来電線」という。）は、複数の絶縁線心が撚り合わされた線心撚体と、その線心撚体の外周に密着するように巻き付けられた保持糸と、その保持糸を覆うように形成されたシースと、を備えている（例えば、特許文献１を参照）。
【先行技術文献】
【特許文献】
【０００３】
【特許文献１】特開２０１３−２３５６８７号公報
【発明の概要】
【発明が解決しようとする課題】
【０００４】
上述した従来電線では、複数の絶縁線心が一方向撚り（Ｓ撚り又はＺ撚り）されており、保持糸が線心撚体の撚り方向と逆方向に周回するように線心撚体に巻き付けられている。具体的には、線心撚体がＳ撚りであれば、保持糸はＺ撚り方向に周回するように巻き付けられ、線心撚体がＺ撚りであれば、保持糸はＳ撚り方向に周回するように巻き付けられるようになっている。これにより、従来電線では、線心撚体の撚り合わせが緩むことが防がれ、撚り合わせピッチ長が設計通りの値に保たれるようになっている。
【０００５】
一方、線心撚体の製造効率（ひいては、電線の製造効率）を向上させる観点等から、複数の絶縁線心を交互撚り（ＳＺ撚り）する場合がある。この場合、従来電線のように線心撚体の外周に一方向に保持糸を巻き付けると、線心撚体の撚り方向と保持糸の撚り方向とが逆の方向となる部分と、両者の方向が同じ方向となる部分と、が存在することになる。この場合、前者（両者の撚り方向が逆の方向となる部分）では、従来電線と同様に線心撚体の撚り合わせピッチ長が維持されるものの、後者（両者の撚り方向が同じ方向となる部分）では、線心撚体の撚り合わせピッチ長を十分に維持できない（撚り合わせピッチ長が拡大する）可能性がある。
【０００６】
線心撚体の撚り合わせピッチ長が維持されない（撚り合わせピッチ長が拡大する）場合、電線が設計通りの性能を発揮できない可能性がある。そのため、線心撚体の撚り合わせピッチ長は出来る限り維持されることが好ましい。
【０００７】
本発明は、上述した事情に鑑みてなされたものであり、その目的は、交互撚り（ＳＺ撚り）された線心撚体を用いる場合であっても線心撚体の撚り合わせピッチ長を確実に維持可能な電線、を提供することにある。
【課題を解決するための手段】
【０００８】
前述した目的を達成するために、本発明に係る「電線」は、下記（１）〜（３）を特徴としている。
（１）
撚り合わされた複数の絶縁線心を含む線心撚体と、前記線心撚体の外周に巻き付けられた保持糸と、を備えた電線であって、
前記線心撚体は、
Ｓ撚り部及びＺ撚り部が交互に繰り返されるようにＳＺ撚りされ、
前記保持糸は、
前記線心撚体の外周にＺ撚り方向に周回するように巻き付けられたＺ巻き糸と、前記線心撚体の外周にＳ撚り方向に周回するように巻き付けられたＳ巻き糸と、を含む、
電線であること。
（２）
上記（１）に記載の電線において、
前記Ｓ撚り部の撚り合わせピッチ長と、前記Ｚ撚り部の撚り合わせピッチ長と、が同一である、
電線であること。
（３）
上記（２）に記載の電線において、
前記Ｚ巻き糸の巻き付けピッチ長と、前記Ｓ巻き糸の巻き付けピッチ長と、が同一である、
電線であること。
【０００９】
上記（１）の構成の電線によれば、Ｚ巻き糸およびＳ巻き糸の双方が線心撚体の全体（Ｓ撚り部およびＺ撚り部の双方）に巻き付けられている。これにより、Ｓ撚り部の外周には少なくともＺ巻き糸（撚り方向と逆の方向に周回する保持糸）が巻き付けられ、Ｚ撚り部の外周には少なくともＳ巻き糸（撚り方向と逆の方向に周回する保持糸）が巻き付けられることになる。換言すると、交互撚り（ＳＺ撚り）された線心撚体の外周の全体において、線心撚体の撚り方向と逆の方向に巻き付けられた保持糸が常に存在するようになっている。その結果、線心撚体のＳ撚り部およびＺ撚り部のいずれにおいても、線心撚体の撚り合わせピッチ長を維持できることになる。
【００１０】
したがって、本構成の電線によれば、交互撚り（ＳＺ撚り）された線心撚体を用いる場合であっても線心撚体の撚り合わせピッチ長を確実に維持可能である。
【００１１】
上記構成の電線の製造方法は、更に別の効果も有する。具体的には、仮に、交互撚り（ＳＺ撚り）された線心撚体の外周に（上述した従来電線のように）一方向に保持糸を巻き付ける場合、線心撚体および保持糸の撚り方向が同じ方向となる部分にて線心撚体の撚り合わせピッチ長が拡大し得ることを想定し、あらかじめその部分の撚り合わせピッチ長を（撚り方向が逆の方向となる部分に比べて）小さくしておく対処方法が考えられる。しかし、この対処方法では、本来的には不要な程度まで撚り合わせピッチ長を小さくすることになるため、絶縁線心の使用量が本来的には不要な程度まで増大するデメリットがある。しかし、本構成の電線によれば、そのように撚り合わせピッチ長を小さくする必要がないため、絶縁線心の使用量を適正化でき、電線の軽量化および低コスト化に貢献できる。
【００１２】
ところで、上記「線心撚体」は、絶縁線心とは別の構造物を含んでもよい。例えば、線心撚体は、絶縁線心の間に設けられる介在物を含んでもよい。更に、上記「電線」は、線心撚体および保持糸を覆うように設けられたシースを更に備えてもよい。加えて、シースは、線心撚体及び保持糸に必ずしも密着する必要はなく、シースと線心撚体及び保持糸との間に他の層（例えば、電磁シールド層など）が設けられてもよい。
【００１３】
上記（２）の構成の電線によれば、線心撚体のＳ撚り部のピッチ長とＺ撚り部のピッチ長とが同一である。そのため、例えば、従来電線のようにＳ撚り部およびＺ撚り部の一方において線心撚体の撚り合わせピッチ長が拡大する可能性がある場合に比べ、電線の全体において電線の性能を均一化でき、より優れた性能の電線を提供できる。
【００１４】
上記（３）の構成の電線によれば、保持糸（Ｚ巻き糸およびＳ巻き糸）の巻き付けピッチ長が、線心撚体（Ｓ撚り部およびＺ撚り部）の全体にわたって一定（同一）となる。これにより、例えば、保持糸の巻き付けピッチ長を線心撚体の位置ごとに（Ｓ撚り部およびＺ撚り部の各々に対して）変化させる場合に比べ、線心撚体に保持糸を巻き付ける製造工程が容易になる。
【００１５】
なお、線心撚体の撚り合わせピッチ長を維持する観点からは、Ｓ撚り部の撚り合わせピッチ長が短いほどＺ巻き糸の巻き付けピッチ長が短く、Ｚ撚り部の撚り合わせピッチ長が短いほどＺ巻き糸の巻き付けピッチ長が短いことが好ましい。よって、保持糸（Ｚ巻き糸およびＳ巻き糸）の巻き付けピッチ長は、線心撚体（Ｓ撚り部およびＺ撚り部）の撚り合わせピッチ長の長短に基づいて定められればよい。
【発明の効果】
【００１６】
本発明によれば、交互撚り（ＳＺ撚り）された線心撚体を用いる場合であっても線心撚体の撚り合わせピッチ長を確実に維持可能な電線、を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明に係る電線の製造方法を例示する一連の工程図である。図１（ａ）は線心撚体を形成する工程を示し、図１（ｂ）は線心撚体に保持糸を巻き付ける工程を示し、図１（ｃ）は線心撚体及び保持糸を覆うシースを形成する工程を示している。
【図２】図２は、図１の製造方法により製造された電線のシースの一部を取り除いた状態を表す概略図である。
【図３】図３は、図１の製造方法により製造された電線の内部構成を示す概略図（断面図）である。
【図４】図４は、図１の製造方法により電線を製造する製造装置の構成を例示する概略図である。
【発明を実施するための形態】
【００１９】
以下、図面を参照しながら、本発明に係る電線（以下「電線１」という。）の製造方法について説明する。
【００２０】
＜電線の製造方法＞
本実施形態に係る電線１は、図１（ａ）、図１（ｂ）及び図１（ｃ）に示す一連の工程により製造される。
【００２１】
図１（ａ）に示す工程は、線心撚体１０を形成する工程である。線心撚体１０は、複数の絶縁線心２０と、介在物３０と、を交互撚り（ＳＺ撚り）にて撚り合わせることにより形成される。絶縁線心２０は、導体２１と、導体２１を覆う絶縁体２２と、を有している。線心撚体１０に含まれる絶縁線心２０の本数は、特に制限されないが、２本〜４本であることが好ましい。なお、本例では、線心撚体１０は３本の絶縁線心２０を有している（図３も参照）。
【００２２】
具体的には、線心撚体１０は、３本の絶縁線心２０と介在物３０とを、一方向（Ｓ方向）への撚り及び他方向（Ｚ方向）への撚りを交互に繰り返すことによって交互撚りし（ＳＺ撚りを行い）、一つの線心撚体１０として束ねられる。これにより、線心撚体１０は、長手方向に沿って、Ｓ撚り部Ｔｓ及びＺ撚り部Ｔｚが交互に設けられた状態となっている。
【００２３】
図１（ｂ）に示す工程は、線心撚体１０に糸状の保持部材である保持糸４０を巻き付ける工程である。本工程において、図１（ａ）の工程にて形成された線心撚体１０の外周には、保持糸４０が直接接触するように巻き付けられる。保持糸４０は、後述する保持糸巻付機６４（図４を参照）によって線心撚体１０に巻き付ける際に保持糸４０に作用する張力に耐え得る強度を有している。保持糸４０は、線心撚体１０の外周にＳ撚り方向に周回するように螺旋状に巻き付けられたＳ巻き糸４１と、線心撚体１０の外周にＺ撚り方向に周回するように螺旋状に巻き付けられたＺ巻き糸４２と、を含んでいる。
【００２４】
Ｓ巻き糸４１及びＺ巻き糸４２の各々の数は、特に制限されないが、２本以上であることが好ましい。例えば、Ｓ巻き糸４１及びＺ巻き糸４２の数として、線心撚体１０の撚りの維持および電線１の生産効率の観点から、２本、３本または４本が挙げられる。なお、本例では、Ｓ巻き糸４１とＺ巻き糸４２とが２本ずつ用いられている。
【００２５】
図１及び図２において、Ｓ巻き糸４１とＺ巻き糸４２とは、説明の便宜上、異なる外見を有するように（Ｓ巻き糸４１は白抜きされた曲線であり、Ｚ巻き糸４２は白抜きされていない曲線であるように）図示されている。しかし、Ｓ巻き糸４１とＺ巻き糸４２とは、異なる種類の糸である必要はなく、同一の種類の糸であってもよい。
【００２６】
図１（ｃ）に示す工程は、線心撚体１０及び保持糸４０の外側にシース５０を形成する工程である。本工程において、図１（ｂ）に示す工程にて保持糸４０（Ｓ巻き糸４１及びＺ巻き糸４２）が巻かれた線心撚体１０（絶縁線心２０及び介在物３０）の外周がシース５０によって覆われる。シース５０は、例えば、ポリ塩化ビニル及びポリエチレン等の合成樹脂から形成される。シース５０は、外周に保持糸４０が巻かれた線心撚体１０の外周に、加熱溶融されたシース材料を管形状を有するように押出加工することにより形成される。これにより、線心撚体１０及び保持糸４０がシース５０によって保護される。
【００２７】
図２に示すように、本例において、線心撚体１０を構成する一線心（複数の絶縁線心２０のうちの一つの線心）が１回転する際に進む長手方向の距離は、「撚り合わせピッチ長」と称呼される。本例において、Ｓ撚り部Ｔｓの撚り合わせピッチ長Ｐ１ｓとＺ撚り部Ｔｚの撚り合わせピッチ長Ｐ１ｚとは、同一である。但し、Ｓ撚り部Ｔｓの撚り合わせピッチ長Ｐ１ｓとＺ撚り部Ｔｚの撚り合わせピッチ長Ｐ１ｚとは、必ずしも同一である必要はなく、相違してもよい。
【００２８】
更に、本例において、保持糸４０を構成する一つの糸（複数の保持糸４０のうちの一つの糸）が１回転する際に進む長手方向の距離は、「巻き付けピッチ長」と称呼される。本例において、Ｓ巻き糸４１の巻き付けピッチ長Ｐ２ｓとＺ巻き糸４２の巻き付けピッチ長Ｐ２ｚとは、同一である。但し、線心撚体１０の撚り合わせピッチ長を維持できる限り、Ｓ巻き糸４１の巻き付けピッチ長Ｐ２ｓとＺ巻き糸４２の巻き付けピッチ長Ｐ２ｚとは相違してもよい。
【００２９】
Ｓ巻き糸４１の巻き付けピッチ長Ｐ２ｓとＺ巻き糸４２の巻き付けピッチ長Ｐ２ｚは、線心撚体１０の直径Ｄの１〜３倍であることが好ましく、例えば、１０〜２０ｍｍであることが好ましい。このように巻かれた保持糸４０（Ｓ巻き糸４１及びＺ巻き糸４２）により、線心撚体１０の撚り合わせピッチ長（Ｓ撚り部Ｔｓの撚り合わせピッチ長Ｐ１ｓ、及び、Ｚ撚り部Ｔｚの撚り合わせピッチ長Ｐ１ｚ）が、線心撚体１０の設計上の品質を満たす観点において十分な程度に保持される。
【００３０】
＜製造装置＞
次いで、電線１を製造する製造装置について説明する。
【００３１】
図４に示すように、電線１を製造する製造装置６０は、絶縁線心供給機６１及び介在物供給機６２を備えている。絶縁線心供給機６１は一般的なリール等であり、絶縁線心供給機６１から複数の絶縁線心２０が繰り出される。介在物供給機６２から、介在物３０が繰り出される。
【００３２】
絶縁線心供給機６１及び介在物供給機６２の下流側には、ＳＺ撚り機６３が設けられている。ＳＺ撚り機６３には、絶縁線心供給機６１から繰り出される複数の絶縁線心２０及び介在物供給機６２から繰り出される介在物３０が送り込まれる。ＳＺ撚り機６３は、一般的なＳＺ撚り機構を有し、複数の絶縁線心２０と介在物３０とを交互撚り（ＳＺ撚り）にて撚り合わせ、線心撚体１０を形成するようになっている。
【００３３】
ＳＺ撚り機６３の下流側には、保持糸巻付機６４及びシース形成機６５が順に設けられている。保持糸巻付機６４は、Ｓ巻き糸４１を巻き付けるための巻き付け機構と、Ｚ巻き糸４２を巻き付けるための巻き付け機構と、を有し、ＳＺ撚り機６３から送り込まれる線心撚体１０の周りにＳ巻き糸４１をＳ撚り方向に周回するように螺旋状に巻き付けると共に、線心撚体１０の周りにＺ巻き糸４２をＺ撚り方向に周回するように螺旋状に巻き付ける。Ｓ巻き糸４１とＺ巻き糸４２とは、どちらが先に線心撚体１０に巻き付けられてもよい。シース形成機６５は、一般的なシース形成機構を有し、保持糸４０が巻き付けられた線心撚体１０の周囲を覆うようにシース５０を形成する。
【００３４】
上述した製造装置により、上述した各工程を経て、電線１が製造される。
【００３５】
以上に説明したように、本実施形態に係る電線１は、Ｓ巻き糸４１およびＺ巻き糸４２の双方が線心撚体１０の全体（Ｓ撚り部ＴｓおよびＺ撚り部Ｔｚの双方）に巻き付けられている。これにより、Ｓ撚り部Ｔｓの外周には少なくともＺ巻き糸４２（撚り方向と逆の方向に周回する保持糸４０）が巻き付けられ、Ｚ撚り部Ｔｚの外周には少なくともＳ巻き糸４１（撚り方向と逆の方向に周回する保持糸４０）が巻き付けられることになる。換言すると、交互撚り（ＳＺ撚り）された線心撚体１０の外周の全体において、線心撚体１０の撚り方向と逆の方向に巻き付けられた保持糸４０が常に存在するようになっている。その結果、線心撚体１０のＳ撚り部ＴｓおよびＺ撚り部Ｔｚのいずれにおいても、線心撚体１０の撚り合わせピッチ長（Ｓ撚り部Ｔｓの撚り合わせピッチ長Ｐ１ｓ，Ｚ撚り部Ｔｚの撚り合わせピッチ長Ｐ１ｚ）を維持できることになる。
【００３６】
したがって、電線１によれば、交互撚り（ＳＺ撚り）された線心撚体１０を用いる場合であっても線心撚体１０の撚り合わせピッチ長を確実に維持可能である。
【００３７】
更に、電線１では、線心撚体１０のＳ撚り部Ｔｓの撚り合わせピッチ長Ｐ１ｓとＺ撚り部Ｔｚの撚り合わせピッチ長Ｐ１ｚとが同一である。そのため、例えば、電線１の全体において電線１の性能を均一化でき、より優れた性能の電線を提供できる。
【００３８】
更に、保持糸４０（Ｓ巻き糸４１及びＺ巻き糸４２）の巻き付けピッチ長が、線心撚体１０（Ｓ撚り部Ｔｓ及びＺ撚り部Ｔｚ）の全体にわたって一定（同一）である。これにより、例えば、保持糸４０の巻き付けピッチ長（Ｐ２ｓ，Ｐ２ｚ）を線心撚体１０の位置ごとに（Ｓ撚り部Ｔｓ及びＺ撚り部Ｔｚの各々に対して）変化させる場合に比べ、線心撚体１０に保持糸４０を巻き付ける製造工程が容易になる。
【００３９】
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
ここで、上述した本発明に係る電線の実施形態の特徴をそれぞれ以下（１）〜（３）に簡潔に纏めて列記する。
（１）
撚り合わされた複数の絶縁線心（２０）を含む線心撚体（１０）と、前記線心撚体の外周に巻き付けられた保持糸（４０）と、を備えた電線（１）であって、
前記線心撚体（１０）は、
Ｓ撚り部（Ｔｓ）及びＺ撚り部（Ｔｚ）が交互に繰り返されるようにＳＺ撚りされ、
前記保持糸（４０）は、
前記線心撚体（１０）の外周にＳ撚り方向に周回するように巻き付けられたＳ巻き糸（４１）と、前記線心撚体（１０）の外周にＺ撚り方向に周回するように巻き付けられたＺ巻き糸（４２）と、を含む、
電線。
（２）
上記（１）に記載の電線において、
前記Ｓ撚り部（Ｔｓ）の撚り合わせピッチ長（Ｐ１ｓ）と、前記Ｚ撚り部（Ｔｚ）の撚り合わせピッチ長（Ｐ１ｚ）と、が同一である、
電線。
（３）
上記（２）に記載の電線において、
前記Ｓ巻き糸（４１）の巻き付けピッチ長（Ｐ２ｓ）と、前記Ｚ巻き糸（４２）の巻き付けピッチ長（Ｐ２ｚ）と、が同一である、
電線。
【符号の説明】
【００４１】
１  電線
１０  線心撚体
２０  絶縁線心
３０  介在物
４０  保持糸
４１  Ｓ巻き糸
４２  Ｚ巻き糸
５０  シース
Ｔｓ  Ｓ撚り部
Ｔｚ  Ｚ撚り部
Ｐ１ｓ，Ｐ１ｚ  撚り合わせピッチ長
Ｐ２ｓ，Ｐ２ｚ  巻きつけピッチ長
【図１】
2018129192.tif 000003
【図２】
2018129192.tif 000004
【図３】
2018129192.tif 000005
【図４】
2018129192.tif 000006